(57)【要約】【課題】  容易に見出し語の入力をすることができる電子辞書装置【解決手段】  指定された見出し語に関する情報を検索して表示させる電子辞書装置１０００において、履歴記憶部１４１は、過去に検索した見出し語を記憶する。見出し語受付処理部１３２は、検索対象とする見出し語を指定するための文字入力を受付ける。記憶検索処理部１３４は、見出し語受付処理部１３２が文字入力を受付けると、履歴記憶部１４１から見出し語を表す情報を取得する。検索結果表示処理部１３５は、記憶検索処理部１３４が取得した見出し語を表す情報に対応する見出し語を表示させる。検索結果指定受付処理部１３６は、検索結果表示処理部１３５が表示させた見出し語の中から、所望の見出し語の指定を受付け、該所望の見出し語を、見出し語受付処理部１３２へ入力する。【選択図】  図１
2008186117.tif 000002
【特許請求の範囲】
【請求項１】
指定された見出し語に関する情報を検索して表示させる電子辞書装置において、
所定の見出し語を表す情報を記憶する見出し語記憶手段と、
検索対象とする見出し語を指定するための文字入力を受付ける見出し語受付手段と、
前記見出し語受付手段が文字入力を受付けると、前記見出し語記憶手段から見出し語を表す情報を取得する記憶取得手段と、
前記記憶取得手段が取得した見出し語を表す情報に対応する見出し語を表示手段に表示させる取得結果表示手段と、
前記取得結果表示手段が表示させた見出し語の中から、所望の見出し語の指定を受付け、該所望の見出し語を、前記見出し語受付手段へ入力する取得結果指定受付手段と
を具備することを特徴とする電子辞書装置。
【請求項２】
前記記憶取得手段は、前記見出し語受付手段が受付けた文字と前方一致する見出し語の見出し語を表す情報を前記見出し語記憶手段から取得することを特徴とする請求項１に記載の電子辞書装置。
【請求項３】
前記見出し語記憶手段は、前記所定の見出し語を表す情報に対応付けて、この見出し語を格納している辞書を識別する情報を記憶し、
前記記憶取得手段は、現在検索対象としている辞書の辞書を識別する情報に対応づけられて記憶している見出し語を表す情報を、前記見出し語記憶手段から取得すること
を特徴とする請求項１に記載の電子辞書装置。
【請求項４】
前記見出し語記憶手段が記憶する所定の見出し語は、過去に検索したことのある見出し語であることを特徴とする請求項１から請求項３のいずれかの項に記載の電子辞書装置。
【請求項５】
前記見出し語記憶手段が記憶する所定の見出し語は、予めユーザが指定した見出し語であることを特徴とする請求項１から請求項３のいずれかの項に記載の電子辞書装置。
【請求項６】
コンピュータを、
見出し語を指定するための文字入力を受付ける見出し語受付手段、
前記見出し語受付手段が文字入力を受付けると、所定の見出し語を表す情報を記憶する見出し語記憶手段から見出し語を表す情報を取得する記憶取得手段、
前記記憶取得手段が取得した見出し語を表す情報に対応する見出し語を表示手段に表示させる取得結果表示手段、
前記取得結果表示手段が表示させた見出し語の中から、所望の見出し語の指定を受付け、該所望の見出し語を、前記見出し語受付手段へ入力する取得結果指定受付手段
として機能させる電子辞書プログラム。
【請求項７】
指定された見出し語に関する情報を検索して表示させる電子辞書装置における見出し語入力方法において、
前記電子辞書装置が、見出し語を指定するための文字入力を受付ける第１の過程と、
前記電子辞書装置が、前記第１の過程にて文字入力を受付けると、所定の見出し語を表す情報を記憶する見出し語記憶手段から見出し語を表す情報を取得する第２の過程と、
前記電子辞書装置が、前記第２の過程にて取得した見出し語を表す情報に対応する見出し語を表示手段に表示させる第３の過程と、
前記電子辞書装置が、前記第３の過程にて表示させた見出し語の中から、所望の見出し語の指定を受付け、該所望の見出し語を、見出し語を指定するための文字入力として受付ける第４の過程と
を具備することを特徴とする見出し語入力方法。
【発明の詳細な説明】
【技術分野】
【０００１】
本発明は、電子辞書装置、電子辞書プログラムおよび見出し語入力方法に関する。
【背景技術】
【０００２】
従来の電子辞書装置は、図１６に例示するような画面の領域Ａへのキーボード等のキー入力装置による文字入力を受付けて、受付けた文字列を見出し語として、辞書データの検索をしている（例えば、特許文献１参照）。
また、従来の電子辞書装置には、過去に検索した見出し語を履歴として記憶したり、ユーザが指定した見出し語を単語帳として記憶したりしておき、キー入力装置による文字入力に代えて、これら履歴もしくは単語帳の中から選択された見出し語を受付けて、辞書データの検索をしているものもある。
【特許文献１】特開２００５−１９０３９５号公報
【発明の開示】
【発明が解決しようとする課題】
【０００３】
しかしながら、従来の電子辞書装置にあっては、過去に検索した見出し語やユーザが指定した見出し語を電子辞書装置が記憶していても、履歴表示や単語帳表示の機能を用いて、記憶している見出し語を探し出して表示させるため、これらの見出し語を検索するために、ユーザが直接入力してしまうことがあるなど、見出し語の入力が煩雑であるという問題がある。
【０００４】
本発明は、このような事情に鑑みてなされたもので、その目的は、容易に見出し語の入力をすることができる電子辞書装置を提供することにある。
【課題を解決するための手段】
【０００５】
この発明は上述した課題を解決するためになされたもので、本発明の電子辞書装置は、指定された見出し語に関する情報を検索して表示させる電子辞書装置において、所定の見出し語を表す情報を記憶する見出し語記憶手段と、検索対象とする見出し語を指定するための文字入力を受付ける見出し語受付手段と、前記見出し語受付手段が文字入力を受付けると、前記見出し語記憶手段から見出し語を表す情報を取得する記憶取得手段と、前記記憶取得手段が取得した見出し語を表す情報に対応する見出し語を表示手段に表示させる取得結果表示手段と、前記取得結果表示手段が表示させた見出し語の中から、所望の見出し語の指定を受付け、該所望の見出し語を、前記見出し語受付手段へ入力する取得結果指定受付手段とを具備することを特徴とする。
【０００６】
また、本発明の電子辞書装置は、上述の電子辞書装置であって、前記記憶取得手段は、前記見出し語受付手段が受付けた文字と前方一致する見出し語の見出し語を表す情報を前記見出し語記憶手段から取得することを特徴とする。
【０００７】
また、本発明の電子辞書装置は、上述の電子辞書装置であって、前記見出し語記憶手段は、前記所定の見出し語を表す情報に対応付けて、この見出し語を格納している辞書を識別する情報を記憶し、前記記憶取得手段は、現在検索対象としている辞書の辞書を識別する情報に対応づけられて記憶している見出し語を表す情報を、前記見出し語記憶手段から取得することを特徴とする。
【０００８】
また、本発明の電子辞書装置は、上述のいずれかの電子辞書装置であって、前記見出し語記憶手段が記憶する所定の見出し語は、過去に検索したことのある見出し語であることを特徴とする。
【０００９】
また、本発明の電子辞書装置は、上述のいずれかの電子辞書装置であって、前記見出し語記憶手段が記憶する所定の見出し語は、予めユーザが指定した見出し語であることを特徴とする。
【００１０】
また、本発明の電子辞書プログラムは、コンピュータを、検索対象とする見出し語を指定するための文字入力を受付ける見出し語受付手段、前記見出し語受付手段が文字入力を受付けると、所定の見出し語を表す情報を記憶する見出し語記憶手段から見出し語を表す情報を取得する記憶取得手段、前記記憶取得手段が取得した見出し語を表す情報に対応する見出し語を表示手段に表示させる取得結果表示手段、前記取得結果表示手段が表示させた見出し語の中から、所望の見出し語の指定を受付け、該所望の見出し語を、前記見出し語受付手段へ入力する取得結果指定受付手段として機能させる。
【００１１】
また、本発明の見出し語入力方法は、指定された見出し語に関する情報を検索して表示させる電子辞書装置における見出し語入力方法において、前記電子辞書装置が、検索対象とする見出し語を指定するための文字入力を受付ける第１の過程と、前記電子辞書装置が、前記第１の過程にて文字入力を受付けると、所定の見出し語を表す情報を記憶する見出し語記憶手段から見出し語を表す情報を取得する第２の過程と、前記電子辞書装置が、前記第２の過程にて取得した見出し語を表す情報に対応する見出し語を表示手段に表示させる第３の過程と、前記電子辞書装置が、前記第３の過程にて表示させた見出し語の中から、所望の見出し語の指定を受付け、該所望の見出し語を、見出し語を指定するための文字入力として受付ける第４の過程とを具備することを特徴とする。
【発明の効果】
【００１２】
この発明によれば、見出し語記憶手段が記憶する所定の見出し語を表示させ、この中から指定された見出し語を、検索対象の見出し語とするので、容易に見出し語を入力することができる。
【発明を実施するための最良の形態】
【００１３】
［第１の実施形態］
以下、図面を参照して、本発明の第１の実施形態について説明する。図１は、この発明の第１の実施形態による電子辞書装置１０００の構成を示す概略ブロック図である。本実施形態の電子辞書装置１０００は、見出し語受付処理部１３２、辞書検索処理部１３３、記憶検索処理部１３４、検索結果表示処理部１３５、検索結果指定受付処理部１３６、辞書選択受付処理部１３７、辞書記憶部１３８、履歴記憶部１４１を具備する。見出し語受付処理部１３２は、見出し語を指定するための文字入力を受付ける。辞書検索処理部１３３は、見出し語受付処理部１３２が受付けた文字に該当する見出し語のリストを、辞書記憶部１３８から検索して読み出す。辞書記憶部１３８は、辞書の内容を記憶しており、本実施形態では、英和１、英和２、英和３の３種類の英和辞典の内容を記憶している。履歴記憶部（見出し語記憶手段）１４１は、過去に検索した見出し語（所定の見出し語）を記憶する。
【００１４】
記憶検索処理部（記憶取得手段）１３４は、見出し語受付処理部１３２が文字入力を受付けると、履歴記憶部１４１が記憶している見出し語を取得する。検索結果表示処理部（取得結果表示手段）１３５は、記憶検索処理部１３４が取得した見出し語の見出し語リストを表示させる。検索結果指定受付処理部（取得結果指定受付手段）１３６は、検索結果表示処理部１３５が表示部１２０に表示させた見出し語リストの中から、カーソルキーなどによる所望の見出し語の指定を受付け、この所望の見出し語を、見出し語受付処理部１３２へ入力する。辞書選択受付処理部１３７は、辞書を指定するための辞書指定キー（英和１キー、英和２キー、英和３キー）による入力を受付け、指定された辞書を、辞書検索処理部１３３が辞書記憶部１３８内を検索する際に対象とする辞書に設定する。
【００１５】
図２は、電子辞書装置１０００のハード構成を示す概略ブロック図である。電子辞書装置１０００は、ＣＰＵ（Ｃｅｎｔｒａｌ  Ｐｒｏｃｅｓｓｉｎｇ  Ｕｎｉｔ）１００と、ＣＰＵ１００にてそれぞれを制御可能なようにバスにて接続された入力部１１０、表示部１２０、ＲＯＭ（Ｒｅａｄ  Ｏｎｌｙ  Ｍｅｍｏｒｙ）１３０、ＲＡＭ（Ｒａｎｄｏｍ  Ａｃｃｅｓｓ  Ｍｅｍｏｒｙ）１４０とを具備する。ＣＰＵ１００は、ＲＯＭ１３０のプログラム記憶部１３１に格納されたプログラムにて動作して、本電子辞書装置１０００全体を制御する。入力部１１０は、カーソルキー、辞書指定キーなどを備え、検索する見出し語や本電子辞書装置１０００に対する指示などを入力するキー入力装置である。表示部１２０は、液晶パネルなどの表示装置である。ＲＯＭ１３０は、ＣＰＵ１００を動作させるためのプログラム記憶部１３１および辞書記憶部１３８を具備する。ＲＡＭ１４０は、ＣＰＵ１００が動作するためのワークメモリであり、また、履歴記憶部１４１はＲＡＭ１４０により構成される。
本実施形態の電子辞書装置１０００は、ＣＰＵ１００がプログラム記憶部１３１に記録されているプログラムを読み取って、図１に示した見出し語受付処理部１３２、辞書検索処理部１３３、記憶検索処理部１３４、検索結果表示処理部１３５、検索結果指定受付処理部１３６、および、辞書選択受付処理部１３７の各部の処理を行う。
【００１６】
図３は、履歴記憶部１４１の記憶内容例を示す図である。履歴記憶部１４１は、図３に例示するように、「ａｗａｙ」と「英和１」、「ｃａｔ」と「英和２」、「ｄｒｅｓｓ」と「英和３」、「ｅａｒｔｈ」と「英和１」、「ｋｎｏｃｋ」と「英和３」というように、過去に検索した見出し語と、該見出し語を検索した辞書名とを対応付けて、アルファベット順に並べて記憶している。なお、履歴記憶部１４１は、見出し語をアルファベット順に並べて記憶しているとして説明したが、検索した順に並べて記憶していてもよい。
【００１７】
図４は、本実施形態の表示部１２０の表示内容例を示した図である。領域Ａ１は、検索対象としている辞書名を表示する領域である。領域Ａ２は、検索する見出し語を入力する入力フィールドであり、該領域に入力された文字は、見出し語受付処理部１３２が受付ける。領域Ａ３は、辞書検索処理部１３３が検索して得られた見出し語を表示させる領域である。領域Ａ４は、履歴記憶部１４１から取得した見出し語の見出し語リストを、検索結果表示処理部１３５が表示させる領域である。領域Ａ５は、辞書検索処理部１３３が辞書記憶部１３８を検索して得られた見出し語に関する情報をプレビュー表示させる領域であり、領域Ａ３で選択されている見出し語の情報が表示される。
【００１８】
図５は、電子辞書装置１０００の動作を説明するフローチャートである。まず、見出し語受付処理部１３２は、入力部１１０のキー入力装置から、文字入力があるか否かを判定する（Ｓａ１）。見出し語受付処理部１３２は、文字入力があるまで、ステップＳａ１を繰り返すが、文字入力があるとステップＳａ２に遷移する。ステップＳａ２では、見出し語受付処理部１３２は、入力された文字列を受付けて、表示部１２０に、その文字列を、図４にて例示した領域Ａ２の入力フィールドに追加表示させる。次に、記憶検索処理部１３４は、履歴記憶部１４１に見出し語が登録されているか否かを判定する（Ｓａ３）。登録されていないと判定したときは、ステップＳａ９に遷移して、検索結果表示処理部１３５は、表示部１２０に、見出し語リスト表示する図４にて例示した領域Ａ４を非表示にさせた後に、ステップＳａ７に遷移する（Ｓａ９）。
【００１９】
一方、ステップＳａ３にて、登録されていると判定したときは、ステップＳａ４に遷移して、記憶検索処理部１３４は、履歴記憶部１４１に登録されている見出し語と辞書名とを読み出し、さらに、検索結果表示処理部１３５は、表示部１２０に、読み出した見出し語と辞書名とをアルファベット順に、図４にて例示した領域Ａ４の見出し語リストに表示させる（Ｓａ４）。検索結果指定受付処理部１３６は、見出し語リストの中から、入力部１１０のカーソルキーによる所望の見出し語の指定を受付け（Ｓａ５）、指定された見出し語を、見出し語受付処理部１３２へ入力する。見出し語受付処理部１３２は、表示部１２０に、この入力された見出し語を、図４にて例示した領域Ａ２の入力フィールドに表示させる（Ｓａ６）。一方、ステップＳａ５にて、所望の見出し語の指定がなかったときはステップＳａ７に遷移する（Ｓａ５）。
【００２０】
次に、ステップＳａ７では、見出し語受付処理部１３２が、入力部１１０の検索指示キーによる検索する見出し語の確定操作が行われたか否かを判定する（Ｓａ７）。確定操作が行われなかったときは、ステップＳａ１に遷移して、処理を繰り返す。一方、ステップＳａ７にて、確定操作が行われたときは、ステップＳａ８に遷移して、辞書検索処理部１３３が、確定操作が行われたときの入力フィールドの文字列に該当する見出し語のリストと見出し語に関する情報とを、辞書記憶部１３８から検索して読み出し、表示部１２０に、これら読み出した見出し語と見出し語に関する情報とを、図４に例示した領域Ａ５にプレビュー表示させる（Ｓａ８）。
【００２１】
このように、ステップＳａ４にて、記憶している履歴記憶部１４１に登録されている見出し語、すなわち、過去に検索したことのある見出し語の見出し語リストを表示させ、ステップＳａ７にて見出し語リストの中から指定された見出し語を、ステップＳａ８にて辞書記憶部１３８を検索して、この見出し語とこの見出し語に関する情報を表示させるので、過去に検索したことのある見出し語を、操作者が該見出し語を検索したことを記憶しているか否かに関係なく、少ない操作量で容易に検索することができる。
【００２２】
［第２の実施形態］
以下、図面を参照して、本発明の第２の実施形態について説明する。この発明の第２の実施形態による電子辞書装置は、図１に示す第１の実施形態による電子辞書装置１０００の構成と同様に、見出し語受付処理部１３２、辞書検索処理部１３３、記憶検索処理部１３４、検索結果表示処理部１３５、検索結果指定受付処理部１３６、辞書選択受付処理部１３７、辞書記憶部１３８、履歴記憶部１４１を具備する。ただし、本実施形態による記憶検索処理部１３４は、第１の実施形態における処理と異なり、見出し語受付処理部１３２が文字入力を受付けると、履歴記憶部１４１が記憶している見出し語のうち、受付けた文字と前方一致する見出し語を取得する。
【００２３】
また、本実施形態による電子辞書装置１０００のハード構成は、第１の実施形態と同様である。本実施形態の電子辞書装置１０００は、ＣＰＵ１００がプログラム記憶部１３１に記録されているプログラムを読み取って、見出し語受付処理部１３２、辞書検索処理部１３３、記憶検索処理部１３４、検索結果表示処理部１３５、検索結果指定受付処理部１３６、および、辞書選択受付処理部１３７の各部の処理を行う。
【００２４】
図６は、本実施形態の表示部１２０の表示内容例を示した図である。同図において図４の各部に対応する部分には同一の符号を付け、その説明を省略する。領域Ａ６は、履歴記憶部１４１が記憶している見出し語のうち、入力フィールド（領域Ａ２）の文字と前方一致する見出し語の見出し語リストを、検索結果表示処理部１３５が表示させる領域である。
【００２５】
図７は、本実施形態の電子辞書装置２０００の動作を説明するフローチャートである。同図において図５の各部に対応する部分には同一の符号を付け、その説明を省略する。図７に示すフローチャートは、図５に示したフローチャートのステップＳａ４に変えてステップＳｂ１とそれに続くステップＳｂ２を挿入し、ステップＳｂ１で判定条件が成立したときはステップＳｂ２に遷移し、判定条件が成立しなかったときはステップＳａ９に遷移するようにしている。ステップＳｂ１では、記憶検索処理部１３４が、履歴記憶部１４１が記憶している見出し語に、ステップＳａ２にて受付けた文字と前方一致する見出し語があるか否かを判定し、あったときを判定条件が成立したとしている。ステップＳｂ２では、記憶検索処理部１３４は、履歴記憶部１４１に登録されている見出し語のうち、ステップＳａ２にて受付けた文字と前方一致する見出し語と辞書名とを読み出し、さらに、検索結果表示処理部１３５は、表示部１２０に、読み出した見出し語と辞書名とをアルファベット順に、図６にて例示した領域Ａ６の見出し語リストに表示させる。
【００２６】
このように、ステップＳｂ２にて、記憶している履歴記憶部１４１に登録されている見出し語、すなわち、過去に検索したことのある見出し語のうち、入力された文字と前方一致する見出し語の見出し語リストを表示させ、ステップＳａ７にて見出し語リストの中から指定された見出し語を、ステップＳａ８にて辞書記憶部１３８を検索して、この見出し語とこの見出し語に関する情報を表示させるので、過去に検索したことのある見出し語を、操作者が該見出し語を検索したことを記憶しているか否かに関係なく、少ない操作量で容易に検索することができる。
【００２７】
［第３の実施形態］
以下、図面を参照して、本発明の第３の実施形態について説明する。この発明の第３の実施形態による電子辞書装置は、図１に示す第１の実施形態による電子辞書装置１０００の構成と同様に、見出し語受付処理部１３２、辞書検索処理部１３３、記憶検索処理部１３４、検索結果表示処理部１３５、検索結果指定受付処理部１３６、辞書選択受付処理部１３７、辞書記憶部１３８、履歴記憶部１４１を具備する。ただし、本実施形態による記憶検索処理部（記憶取得手段）１３４は、第１の実施形態による処理と異なり、見出し語受付処理部１３２が文字入力を受付けると、履歴記憶部１４１が記憶している見出し語のうち、現在検索対象としている辞書と辞書名が一致する見出し語を取得する。ここで、現在検索対象としている辞書とは、辞書選択受付処理部１３７が指定を受付けて、検索する際に対象とする辞書に設定したものである。
【００２８】
また、本実施形態による電子辞書装置１０００のハード構成は、第１の実施形態と同様である。本実施形態の電子辞書装置１０００は、ＣＰＵ１００がプログラム記憶部１３１に記録されているプログラムを読み取って、見出し語受付処理部１３２、辞書検索処理部１３３、記憶検索処理部１３４、検索結果表示処理部１３５、検索結果指定受付処理部１３６、および、辞書選択受付処理部１３７の各部の処理を行う。
【００２９】
図８は、本実施形態の表示部１２０の表示内容例を示した図である。同図において図４の各部に対応する部分には同一の符号を付け、その説明を省略する。領域Ａ７は、履歴記憶部１４１が記憶している見出し語のうち、現在検索対象としている辞書と辞書名が一致する見出し語の見出し語リストを、検索結果表示処理部１３５が表示させる領域である。
【００３０】
図９は、本実施形態の電子辞書装置３０００の動作を説明するフローチャートである。同図において図５の各部に対応する部分には同一の符号を付け、その説明を省略する。図９に示すフローチャートは、図５に示したフローチャートのステップＳａ４に変えてステップＳｃ１とそれに続くステップＳｃ２を挿入し、ステップＳｃ１で判定条件が成立したときはステップＳｃ２に遷移し、判定条件が成立しなかったときはステップＳａ９に遷移するようにしている。ステップＳｃ１では、記憶検索処理部１３４が、履歴記憶部１４１が記憶している見出し語に、現在検索対象としている辞書と辞書名が一致する見出し語があるか否かを判定し、あったときを判定条件が成立したとしている。ステップＳｃ２では、記憶検索処理部１３４は、履歴記憶部１４１に登録されている見出し語のうち、現在検索対象としている辞書と辞書名が一致する見出し語と辞書名とを読み出し、さらに、検索結果表示処理部１３５は、表示部１２０に、読み出した見出し語と辞書名とをアルファベット順に、図８にて例示した領域Ａ７の見出し語リストに表示させる。
【００３１】
このように、ステップＳｃ２にて、記憶している履歴記憶部１４１に登録されている見出し語、すなわち、過去に検索したことのある見出し語のうち、現在検索対象としている辞書と辞書名が一致する見出し語の見出し語リストを表示させ、ステップＳａ７にて見出し語リストの中から指定された見出し語を、ステップＳａ８にて辞書記憶部１３８を検索して、この見出し語とこの見出し語に関する情報を表示させるので、過去に検索したことのある見出し語を、操作者が該見出し語を検索したことを記憶しているか否かに関係なく、少ない操作量で容易に検索することができる。
【００３２】
［第４の実施形態］
以下、図面を参照して、本発明の第４の実施形態について説明する。この発明の第４の実施形態による電子辞書装置は、図１に示す第１の実施形態による電子辞書装置１０００の構成と同様に、見出し語受付処理部１３２、辞書検索処理部１３３、記憶検索処理部１３４、検索結果表示処理部１３５、検索結果指定受付処理部１３６、辞書選択受付処理部１３７、辞書記憶部１３８、履歴記憶部１４１を具備する。ただし、本実施形態による記憶検索処理部（記憶取得手段）１３４は、第１の実施形態における処理と異なり、見出し語受付処理部１３２が文字入力を受付けると、履歴記憶部１４１が記憶している見出し語のうち、受付けた文字と前方一致する見出し語であり、かつ、現在検索対象としている辞書と辞書名が一致する見出し語を取得する。ここで、現在検索対象としている辞書とは、辞書選択受付処理部１３７が指定を受付けて、検索する際に対象とする辞書に設定したものである。
【００３３】
また、本実施形態による電子辞書装置１０００のハード構成は、第１の実施形態と同様である。本実施形態の電子辞書装置１０００は、ＣＰＵ１００がプログラム記憶部１３１に記録されているプログラムを読み取って、見出し語受付処理部１３２、辞書検索処理部１３３、記憶検索処理部１３４、検索結果表示処理部１３５、検索結果指定受付処理部１３６、および、辞書選択受付処理部１３７の各部の処理を行う。
【００３４】
図１０は、本実施形態の表示部１２０の表示内容例を示した図である。同図において図４の各部に対応する部分には同一の符号を付け、その説明を省略する。領域Ａ８は、履歴記憶部１４１が記憶している見出し語のうち、入力フィールド（領域Ａ２）の文字と前方一致する見出し語であり、かつ、現在検索対象としている辞書と辞書名が一致する見出し語の見出し語リストを、検索結果表示処理部１３５が表示させる領域である。
【００３５】
図１１は、本実施形態の電子辞書装置４０００の動作を説明するフローチャートである。同図において図５の各部に対応する部分には同一の符号を付け、その説明を省略する。図１１に示すフローチャートは、図５に示したフローチャートのステップＳａ４に変えてステップＳｄ１とそれに続くステップＳｄ２とそれに続くステップＳｄ３とを挿入し、ステップＳｄ１で判定条件が成立したときはステップＳｄ２に遷移し、判定条件が成立しなかったときはステップＳａ９に遷移するようにし、さらにステップＳｄ２で判定条件が成立したときはステップＳｄ３に遷移し、判定条件が成立しなかったときはステップＳａ９に遷移するようにしている。ステップＳｄ１では、記憶検索処理部１３４が、履歴記憶部１４１が記憶している見出し語に、現在検索対象としている辞書と辞書名が一致する見出し語があるか否かを判定し、あったときを判定条件が成立したとしている。ステップＳｄ２では、記憶検索処理部１３４が、履歴記憶部１４１が記憶している見出し語でステップＳｄ１にて現在検索対象としている辞書と辞書名が一致する見出し語であると判定された見出し語に、ステップＳａ２にて受付けた文字と前方一致する見出し語があるか否かを判定し、あったときを判定条件が成立したとしている。ステップＳｄ３では、記憶検索処理部１３４は、履歴記憶部１４１に登録されている見出し語のうち、ステップＳａ２にて受付けた文字と前方一致する見出し語であり、かつ、現在検索対象としている辞書と辞書名が一致する見出し語と辞書名とを読み出し、さらに、検索結果表示処理部１３５は、表示部１２０に、読み出した見出し語と辞書名とをアルファベット順に、図１０にて例示した領域Ａ８の見出し語リストに表示させる。
【００３６】
このように、ステップＳｄ３にて、記憶している履歴記憶部１４１に登録されている見出し語、すなわち、過去に検索したことのある見出し語のうち、入力された文字と前方一致する見出し語であり、かつ、現在検索対象としている辞書と辞書名が一致する見出し語の見出し語リストを表示させ、ステップＳａ７にて見出し語リストの中から指定された見出し語を、ステップＳａ８にて辞書記憶部１３８を検索して、この見出し語とこの見出し語に関する情報を表示させるので、過去に検索したことのある見出し語を、操作者が該見出し語を検索したことを記憶しているか否かに関係なく、少ない操作量で容易に検索することができる。
【００３７】
［第５の実施形態］
以下、図面を参照して、本発明の第５の実施形態について説明する。図１２は、この発明の第５の実施形態による電子辞書装置５０００の構成を示す概略ブロック図である。電子辞書装置５０００は、見出し語受付処理部１３２、辞書検索処理部１３３、記憶検索処理部５３４、検索結果表示処理部１３５、検索結果指定受付処理部１３６、辞書選択受付処理部１３７、辞書記憶部１３８、単語帳記憶部５４１を具備する。同図において図１の各部に対応する部分には同一の符号を付け、その説明を省略する。記憶検索処理部（記憶取得手段）５３４は、見出し語受付処理部１３２が文字入力を受付けると、単語帳記憶部５４１が記憶している見出し語のうち、受付けた文字と前方一致する見出し語であり、かつ、現在検索対象としている辞書と辞書名が一致する見出し語を取得する。単語帳記憶部（見出し語記憶手段）５４１は、ユーザが指定した見出し語と該見出し語を指定したときの辞書名とを対応付けて記憶する。ここで、現在検索対象としている辞書とは、辞書選択受付処理部１３７が指定を受付けて、検索する際に対象とする辞書に設定したものである。
【００３８】
図１３は、電子辞書装置５０００のハード構成を示す概略ブロック図である。同図において図２の各部に対応する部分には同一の符号を付け、その説明を省略する。ＲＯＭ５３０は、プログラム記憶部５３１と辞書記憶部１３８とを具備する。ＲＡＭ５４０は、ＣＰＵ１００が動作するためのワークメモリであり、また、単語帳記憶部５４１はＲＡＭ５４０により構成される。
本実施形態の電子辞書装置５０００は、ＣＰＵ１００がプログラム記憶部５３１に記録されているプログラムを読み取って、図１２に示した見出し語受付処理部１３２、辞書検索処理部１３３、記憶検索処理部５３４、検索結果表示処理部１３５、検索結果指定受付処理部１３６、および、辞書選択受付処理部１３７の各部の処理を行う。
【００３９】
図１４は、本実施形態の表示部１２０の表示内容例を示した図である。同図において図４の各部に対応する部分には同一の符号を付け、その説明を省略する。領域Ａ９は、単語帳記憶部５４１が記憶している見出し語のうち、入力フィールド（領域Ａ２）の文字と前方一致する見出し語であり、かつ、現在検索対象としている辞書と辞書名が一致する見出し語の見出し語リストを、検索結果表示処理部１３５が表示させる領域である。
【００４０】
図１５は、電子辞書装置５０００の動作を説明するフローチャートである。同図において図５の各部に対応する部分には同一の符号を付け、その説明を省略する。図１５に示すフローチャートは、図５に示したフローチャートのステップＳａ３とそれに続くステップＳａ４に変えてステップＳｅ１とそれに続くステップＳｅ２とそれに続くステップＳｅ３とそれに続くステップＳａ４とを挿入し、ステップＳｅ１で判定条件が成立したときはステップＳｅ２に遷移し、判定条件が成立しなかったときはステップＳａ９に遷移するようにし、さらにステップＳｅ２で判定条件が成立したときはステップＳｅ３に遷移し、判定条件が成立しなかったときはステップＳａ９に遷移するようにし、さらにステップＳｅ３で判定条件が成立したときはステップＳｅ４に遷移し、判定条件が成立しなかったときはステップＳａ９に遷移するようにしている。
【００４１】
ステップＳｅ１では、記憶検索処理部５３４は、単語帳記憶部５４１に見出し語が登録されているか否かを判定し、登録されているときを判定条件が成立したとする。ステップＳｅ２では、記憶件処理部５３４が、単語帳記憶部５４１が記憶している見出し語に、現在検索対象としている辞書と辞書名が一致する見出し語があるか否かを判定し、あったときを判定条件が成立したとしている。ステップＳｅ３では、記憶検索処理部５３４が、単語帳記憶部５４１が記憶している見出し語でステップＳｅ２にて現在検索対象としている辞書と辞書名が一致する見出し語であると判定された見出し語に、ステップＳａ２にて受付けた文字と前方一致する見出し語があるか否かを判定し、あったときを判定条件が成立したとしている。ステップＳｅ４では、記憶検索処理部５３４は、単語帳記憶部５４１に登録されている見出し語のうち、ステップＳａ２にて受付けた文字と前方一致する見出し語であり、かつ、現在検索対象としている辞書と辞書名が一致する見出し語と辞書名とを読み出し、さらに、検索結果表示処理部１３５は、表示部１２０に、読み出した見出し語と辞書名とをアルファベット順に、図１４にて例示した領域Ａ９の見出し語リストに表示させる。
【００４２】
このように、ステップＳｅ４にて、記憶している単語帳記憶部５４１に登録されている見出し語、すなわち、過去に検索したことのある見出し語のうち、入力された文字と前方一致する見出し語であり、かつ、現在検索対象としている辞書と辞書名が一致する見出し語の見出し語リストを表示させ、ステップＳａ７にて見出し語リストの中から指定された見出し語を、ステップＳａ８にて辞書記憶部１３８を検索して、この見出し語とこの見出し語に関する情報を表示させるので、過去に検索したことのある見出し語を、操作者が該見出し語を検索したことを記憶しているか否かに関係なく、少ない操作量で容易に検索することができる。
【００４３】
なお、第１から第５の実施形態において、ステップＳａ５にて、検索結果指定受付処理部１３６が所望の見出し語の指定を受付けて、指定された見出し語を、見出し語受付処理部１３２へ入力する際に、併せて該見出し語の辞書名を見出し語受付処理部１３２に入力し、検索対象とする辞書を、この入力した辞書名の辞書に設定するようにしてもよい。
【００４４】
また、第１から第４の実施形態において、検索結果表示処理部１３５が表示させる見出し語リストには、見出し語をアルファベット順に表示させるとして説明したが、見出し語が日本語のときは、あいうえお順にしてよい。また、履歴記憶部１４１に見出し語を格納する際に、検索した順に格納しておく、あるいは、見出し語に対応付けて検索した日時を格納しておき、検索結果表示処理部１３５が表示させる見出し語リストには、見出し語を、検索した日時の昇順、あるいは、検索した日時の降順に表示させてもよい。
【００４５】
また、第３、第４、第５の実施形態において、記憶検索処理部１３４、５３４は、履歴記憶部１４１もしくは単語帳記憶部５４１が記憶している見出し語のうち、現在検索対象としている辞書と辞書名が一致する見出し語を取得するとして説明したが、辞書モードが一致する見出し語を取得するとしてもよい。ここで、辞書モードとは、辞書の種別を表す情報であり、例えば、英和辞典Ａと英和辞典Ｂとは、辞書モードが同じ英和辞典であり、国語辞典Ａと国語辞典Ｂとは、辞書モードが同じ国語辞典である。
【００４６】
また、上記実施形態において履歴記憶部１４１および単語帳記憶部５４１は、ＲＡＭ１４０が具備するとして説明したが、履歴記憶部１４１および単語帳記憶部５４１を具備するのは、ＣＰＵ１００からアクセス可能としたフラッシュメモリー、ハードディスクなど書き込み可能な不揮発性のメモリであってもよい。
また、上記実施形態においてプログラム記憶部１３１、５３１および辞書記憶部１３８は、ＲＯＭ１３０、５３０が具備するとして説明したが、これらの各部を具備するのは、ＣＰＵ１００からアクセス可能としたフラッシュメモリー、ハードディスクなど書き込み可能な不揮発性のメモリであってもよいし、ＣＤ−ＲＯＭなどの可搬媒体であってもよい。
【００４７】
また、図１におけるプログラム記憶部１３１、図１２におけるプログラム記憶部５３１に格納されたプログラムをコンピュータ読み取り可能な記録媒体に記録して、この記録媒体に記録されたプログラムをコンピュータシステムに読み込ませ、実行することによりコンピュータシステムを電子辞書装置として機能させてもよい。なお、ここでいう「コンピュータシステム」とは、ＯＳや周辺機器等のハードウェアを含むものとする。
【００４８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４９】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００５０】
本発明は、過去に検索した見出し語を記憶している履歴機能や、ユーザが指定した見出し語を記憶している単語帳機能を備えた電子辞書装置に用いて好適であるが、これに限定されない。
【図面の簡単な説明】
【００５１】
【図１】この発明の第１の実施形態による電子辞書装置１０００の構成を示す概略ブロック図である。
【図２】同実施形態における電子辞書装置１０００のハード構成を示す概略ブロック図である。
【図３】同実施形態における履歴記憶部１４１の記憶内容例を示す図である。
【図４】同実施形態における表示部１２０の表示内容例を示す図である。
【図５】同実施形態における電子辞書装置の動作を説明するフローチャートである。
【図６】この発明の第２の実施形態による表示部１２０の表示内容例を示す図である。
【図７】同実施形態における電子辞書装置の動作を説明するフローチャートである。
【図８】この発明の第３の実施形態による表示部１２０の表示内容例を示す図である。
【図９】同実施形態における電子辞書装置の動作を説明するフローチャートである。
【図１０】この発明の第４の実施形態による表示部１２０の表示内容例を示す図である。
【図１１】同実施形態における電子辞書装置の動作を説明するフローチャートである。
【図１２】この発明の第５の実施形態による電子辞書装置５０００の構成を示す概略ブロック図である。
【図１３】同実施形態における電子辞書装置５０００のハード構成を示す概略ブロック図である。
【図１４】同実施形態における表示部１２０の表示内容例を示す図である。
【図１５】同実施形態における電子辞書装置の動作を説明するフローチャートである。
【図１６】従来の電子辞書装置の表示画面例を示す図である。
【符号の説明】
【００５２】
１００…ＣＰＵ
１１０…入力部
１２０…表示部
１３０、５３０…ＲＯＭ
１３１、５３１…プログラム記憶部
１３２…見出し語受付処理部
１３３…辞書検索処理部
１３４、５３４…記憶検索処理部
１３５…検索結果表示処理部
１３６…検索結果指定受付処理部
１３７…辞書選択受付処理部
１３８…辞書記憶部
１４０、５４０…ＲＡＭ
１４１…履歴記憶部
５４１…単語帳記憶部
１０００、５０００…電子辞書装置
【図１】
2008186117.tif 000003
【図２】
2008186117.tif 000004
【図３】
2008186117.tif 000005
【図４】
2008186117.tif 000006
【図５】
2008186117.tif 000007
【図６】
2008186117.tif 000008
【図７】
2008186117.tif 000009
【図８】
2008186117.tif 000010
【図９】
2008186117.tif 000011
【図１０】
2008186117.tif 000012
【図１１】
2008186117.tif 000013
【図１２】
2008186117.tif 000014
【図１３】
2008186117.tif 000015
【図１４】
2008186117.tif 000016
【図１５】
2008186117.tif 000017
【図１６】
2008186117.tif 000018